(57)【要約】【課題】  コンクリート壁表面に防音・断熱性・結露防止を付与する発泡合成樹脂層を簡便に作業性良く、かつ搬送・保管においても便利であって低コストにて設けることができるコンクリート壁構造および型枠パネルおよび係合片を提供する。【解決手段】  コンクリート壁２と、その表面に埋め殺し状態で配設された金属板の角波板５からなる型枠パネル３と、型枠パネル３の表面に配設された発泡合成樹脂成形パネル４とを有するコンクリート壁構造１であって、前記発泡合成樹脂成形パネル４は、一端が型枠パネル３の表面に形成された凹溝７の底面に連結する連結部３３を備えると共に他端が発泡合成樹脂成形パネル４と係合する係合部３４を備えた係合片３０により、型枠パネル３の表面に係合固定する。【選択図】  図１
2005120623.tif 000002
【特許請求の範囲】
【請求項１】
コンクリート壁と、その表面に埋め殺し状態で配設された金属板の角波板からなる型枠パネルと、型枠パネルの表面に配設された発泡合成樹脂成形パネルとを有するコンクリート壁構造であって、前記発泡合成樹脂成形パネルは、一端が型枠パネルの表面に形成された凹溝の底面に連結する連結部を備えると共に他端が発泡合成樹脂成形パネルと係合する係合部を備えた係合片により、型枠パネルの表面に係合固定されることを特徴とするコンクリート壁構造。
【請求項２】
コンクリート壁形成時に型枠として機能し、形成後その表面に埋め殺し状態で配設された金属板の角波板からなる型枠パネルであって、その表面に形成された凹溝の底面に、発泡合成樹脂成形パネルを係合固定する係合片を連結するＣ型切欠きを形成したことを特徴とする型枠パネル。
【請求項３】
コンクリート壁形成時に埋め殺し状態で配設された金属板の角波板からなる型枠パネルの表面に発泡合成樹脂成形パネルを係合固定する係合片であって、一端が型枠パネルの表面に形成された凹溝の底面に連結する連結部を備えると共に他端が発泡合成樹脂成形パネルと係合する係合部を備えたことを特徴とする係合片。
【請求項４】
連結部側が有底で係合部側が開口の筒形状であって、前記底部に肉厚部が形成された請求項３記載の係合片。
【請求項５】
型枠パネルの凹溝に連結した際に、係合部が型枠パネルの表面より突出するように形成された請求項３または４に記載の係合片。
【発明の詳細な説明】
【技術分野】
【０００１】
本発明は、コンクリート壁構造に関し、特にコンクリート壁構造に用いる型枠パネルおよび防音・断熱性・結露防止を付与するために表面に発泡合成樹脂成形パネルと型枠パネルを係合する係合片に関するものである。
【背景技術】
【０００２】
従来、建物工事でコンクリート壁を形成する際には、木製などの型枠パネルを用いて型枠を構築し、その型枠内にコンクリートを打設して養生・硬化させ、硬化後型枠パネルを取り外してコンクリート壁を形成していた。しかし、近年は熱帯雨林地方の環境保護の観点から木製の型枠パネルの使用を極力避けるために、金属薄板を角波形状に形成した金属製の型枠パネルを用いて型枠を構築し、その型枠パネルをコンクリート硬化後に埋め殺し状態で放置するようにしたものが提案されている。
【０００３】
そのような金属製の型枠パネルとして、本出願人は先に、金属薄板の角波板からなり、その角波板の凸条又は凹条に、その長手方向に細長い水抜き穴を断続的に多数設けることで、コンクリートの流出を防止しつつコンクリート内に含まれている水分を十分に効率よく排出することができるものを提案している（特許文献１参照。）。
【０００４】
さらに、本出願人は、図６に示すように、金属薄板の角波板からなるコンクリート壁用型枠パネル４０であって、角波における凹溝４１と凸条４２を、凸条４２が外側に向けて断面幅が大きくなり凹溝４１が蟻溝形状となる形状に構成し、発泡合成樹脂層を、型枠パネル４０の蟻溝形状の凹溝４１に圧入することで係合固定される突条４３を突設した発泡合成樹脂形成パネル４４にて構成することで、コンクリート壁表面に簡便に発泡合成樹脂層を形成することができ、結露防止および防音・断熱性を有するコンクリート壁を作業性良く低コストにて構成できるものを提案している（特許文献２参照。）。
【特許文献１】特開２００２−３０８０６号公報
【特許文献２】特願２００３−１３０３１号
【発明の開示】
【発明が解決しようとする課題】
【０００５】
しかしながら、上記型枠パネルは、凸条が外側に向けて断面幅が大きくなり凹溝が蟻溝形状となるように構成されているため、面で重ねると重ね高さが大となり、搬送・保管に不便でかつコスト高となるという問題があった。また発泡合成樹脂成形パネルの形状も型枠パネルに係合し得る形状にする必要があり製造コストが高いという問題があった。
【０００６】
本発明は、上記問題点に鑑み、コンクリート壁表面に防音・断熱性・結露防止を付与する発泡合成樹脂層を簡便に作業性良く、かつ搬送・保管においても便利であって低コストにて設けることができるコンクリート壁構造および型枠パネルおよび係合片を提供することを目的とする。
【課題を解決するための手段】
【０００７】
上記の目的を達成するために、本発明のコンクリート壁構造は、コンクリート壁と、その表面に埋め殺し状態で配設された金属板の角波板からなる型枠パネルと、型枠パネルの表面に配設された発泡合成樹脂成形パネルとを有するコンクリート壁構造であって、前記発泡合成樹脂成形パネルは、一端が型枠パネルの表面に形成された凹溝の底面に連結する連結部を備えると共に他端が発泡合成樹脂成形パネルを係合する係合部を備える係合片により、型枠パネルの表面に係合固定されることを特徴とする。
【０００８】
本発明によれば、表面側の凹溝の底面に係合片を連結した型枠パネルにて型枠を構築し、その内部にコンクリートを打設してコンクリートを養生・硬化することで、型枠パネルを表面に埋め殺した状態のコンクリート壁が形成され、その型枠パネルに連結された係合片に発泡合成樹脂成形パネルを係合装着することによって、コンクリート壁表面に簡便に発泡合成樹脂層を形成でき、防音・断熱性・結露防止を有するコンクリート壁を作業性良く、かつ搬送・保管においても便利で低コストに構成することができる。
【０００９】
また、本発明の型枠パネルは、コンクリート壁形成時に型枠として機能し、形成後その表面に埋め殺し状態で配設された金属板の角波板からなる型枠パネルであって、その表面に形成された凹溝の底面に、発泡合成樹脂成形パネルを係合固定する係合片と連結するためのＣ型切欠きを形成したことを特徴とし、この型枠パネルを用いることにより、上記コンクリート壁構造を実現してその効果を奏することができる。
【００１０】
また、本発明の係合片は、コンクリート壁形成時に埋め殺し状態で配設された金属板の角波板からなる型枠パネルの表面に発泡合成樹脂成形パネルを係合固定する係合片であって、一端が型枠パネルの表面に形成された凹溝の底面に連結する連結部を備えると共に他端が発泡合成樹脂成形パネルを係合する係合部を備えたことを特徴とし、この係合片を用いることにより、上記コンクリート壁構造を実現してその効果を奏することができる。
【００１１】
さらに、係合片について、連結部側が有底で係合部側が開口の筒形状であって、前記底部に肉厚部が形成された構成にしたり、型枠パネルの凹溝に連結した際に、係合部が型枠パネルの表面より突出するように形成された構成にすると好適である。
【発明の効果】
【００１２】
本発明によれば、表面側の凹溝の底面に係合片を連結した型枠パネルにて型枠を構築し、その内部にコンクリートを打設してコンクリートを養生・硬化することで、型枠パネルを表面に埋め殺した状態のコンクリート壁が形成され、その型枠パネルに連結された係合片に発泡合成樹脂成形パネルを係合装着することによって、コンクリート壁表面に簡便に発泡合成樹脂層を形成でき、防音・断熱性・結露防止を有するコンクリート壁を作業性良く、かつ搬送・保管においても便利で低コストに構成することができる。
【発明を実施するための最良の形態】
【００１３】
以下、本発明のコンクリート壁構造および型枠パネルおよび係合片の一実施形態について、図１〜図５を参照して説明する。
【００１４】
図１において、１は防音・断熱性・結露防止を有するコンクリート壁構造で、コンクリート壁２と、その表面に埋め殺し状態で配設された金属薄板からなる型枠パネル３と、型枠パネル３の表面に装着された発泡合成樹脂成形パネル４と、型枠パネル３の表面に発泡合成樹脂成形パネル４を係合固定する係合片３０にて構成されている。
【００１５】
前記型枠パネル３は、図２、図３に示すように、凸条６と凹溝７が交互に形成された角波板５からなり、その凹溝７が外側に向けて断面幅が大きくなり、その凸条６が外側に向けて断面幅が小さくなるように構成されている。
【００１６】
凹溝７の底面には、前記係合片３０と連結するためのＣ型切欠き８が適当間隔おきに形成されている。なおＣ型切欠き８は、図２に示すように、円形孔の輪郭のうち、所定の１箇所に微小な連繋部３１を残置させ、その他の大半部を打ち抜くようにされたもので、Ｃ型切欠き８の内側には、これと略同形状の盲蓋部３２が残置されている。そして盲蓋部３２はドライバなどの工具を突きたてて連繋部３１を引きちぎることで簡単に除去することができる。さらにＣ型切欠き８は、型枠の構築時に型枠パネル３を所定間隔をあけた状態で保持するセパレータを取りつけるための取付け穴としても利用される。
【００１７】
凸条６の頂面は、Ｒ状に彎曲して内側に窪むような形状をしており、コンクリート打設時の補強が図られている。
【００１８】
型枠パネル３の具体的な寸法の数値例を示すと、角波板５の板厚が０．２５〜０．５ｍｍ、凹溝７のピッチ間隔が４０〜６０ｍｍ、凸条６の幅が１５〜２５ｍｍ、凹溝７の幅が２５〜４０ｍｍ、それらの高さ又は深さが１０〜１５ｍｍ程度が好適である。Ｃ型切欠き８は、半径０．５〜１．２ｍｍ、断続ピッチ幅が２０〜５０ｍｍ程度が適当である。
【００１９】
前記発泡合成樹脂成形パネル４は、図１に示すように、所定の防音・断熱性能および結露防止を得るための厚さ、例えば２０〜３０ｍｍ程度を有する両面がほぼ平面な平板部材１１から構成されている。なお平板部材１１の表面側の片面１１ａに化粧板などを貼付すると好適である。
【００２０】
前記係合片３０は、図４に示すように、一端が型枠パネル３の表面に形成された凹溝７の底面に連結する連結部３３を備えると共に他端が発泡合成樹脂成形パネル４を係合する係合部３４を備えている。そして係合片３０は、連結部３３側が有底３５で係合部３４側が開口の筒形状であって、前記底部３５に肉厚部３６が形成されている。なおコンクリート形成後、発泡合成樹脂成形パネル４を型枠パネル３に装着した後に、安定固定を図るため、クギやもくネジなどを発泡合成樹脂成形パネル４を貫通させ前記肉厚部３６に打ち込むことができる。
【００２１】
連結部３３は、弾性部材からなる一対の連結片３７を有しており、この連結片３７は型枠パネル３の凹溝７の底面に形成されたＣ型切欠き８の盲蓋部３２を打ち抜くことで得られる円形孔に連結することができる。係合部３４は、開口周縁にノコギリ状に形成された複数の鋭角部３８が備えられ、この鋭角部３８に発泡合成樹脂成形パネル４を差し込むように圧入することで、発泡合成樹脂成形パネル４を係合することができる。
【００２２】
係合片３０の具体的な寸法の数値例を示すと、高さが２．５〜４．０ｍｍ、半径０．５〜２０ｍｍ、肉厚部３６の厚み１０〜１５ｍｍ程度が好適である。すなわち係合片３０の高さが型枠パネル３の凹溝７の深さより大となるように構成されているため、係合片３０を型枠パネル３の凹溝７に連結した際に、その係合部３４が型枠パネル３の表面より突出するようになる。
【００２３】
なお係合片の他の形態として、図５に示すような形状の係合片３０ａ、すなわち上記係合片３０から開口周縁にノコギリ状に形成された複数の鋭角部３８を除外した形状にしてもよい。そして発泡合成樹脂成形パネル４を係合するには、クギやもくネジなどを発泡合成樹脂成形パネル４を貫通させ前記肉厚部３６ａに打ち込むとよい。
【００２４】
以上のコンクリート壁構造体１を構成するには、まず型枠パネル３の凹溝７に形成したＣ型切欠き８の盲蓋部３２を打ち抜いて得られる円形孔に、係合片３０の係合部３４が外側になるようにその連結片３７を連結する。そして所定のコンクリート壁２の厚さに対応する間隔をあけて型枠パネル３を対向配置するとともに、その凸条６に形成された適当なＣ型切欠き８を利用して適当ピッチ間隔おきにセパレータにて相互に連結してその間隔を保持し、その状態で型枠パネル３を支持することでコンクリート打設用の型枠を構築する。次に、その型枠内にコンクリートを打設してコンクリートを養生・硬化することで、型枠パネル３を表面に埋め殺した状態のコンクリート壁２が形成される。その際に、コンクリートが充填される凸条６の頂面が、Ｒ状に彎曲して内側に窪むような形状であるため、面強度が維持され、型枠パネル３の強度が確保される。
【００２５】
その後、コンクリート壁２の表面に埋め殺し状態で一体化されている型枠パネル３に発泡合成樹脂成形パネル４を装着する。その際に、型枠パネル３の凹溝７の底面に連結した係合片３０に、発泡合成樹脂成形パネル４を差し込むように圧入して発泡合成樹脂成形パネル４を装着することによって、コンクリート壁表面に簡便に発泡合成樹脂層を形成でき、防音・断熱性・結露防止を有するコンクリート壁構造体１を作業性良く低コストにて構成することが出きる。
【００２６】
また、型枠パネル３および発泡合成樹脂成形パネル４を搬送・保管する際において、面で重ねても重ね高さが小となり、便利であってかつコストを下げることができる。
【産業上の利用可能性】
【００２７】
本発明は、広く普及したコンクリート壁構造および型枠パネルおよび係合片に関し、産業上の利用性を満足することができる。
【図面の簡単な説明】
【００２８】
【図１】本発明の一実施形態のコンクリート壁構造の部分横断平面図である。
【図２】同実施形態の型枠パネルの斜視図である。
【図３】図２の拡大断面図である。
【図４】同実施形態の型枠パネルと係合片の側面図である。
【図５】本発明の他の実施形態の係合片を示し、（ａ）はその斜視図、（ｂ）はその側面図である。
【図６】従来例のコンクリート壁構造の分解斜視図である。
【符号の説明】
【００２９】
１  コンクリート壁構造体
２  コンクリート壁
３  型枠パネル
４  発泡合成樹脂成形パネル
５  角波板
６  凸条
７  凹溝
８  Ｃ型切欠き
３０  係合片
３３  連結部
３４  係合部
３６  肉厚部
【図１】
2005120623.tif 000003
【図２】
2005120623.tif 000004
【図３】
2005120623.tif 000005
【図４】
2005120623.tif 000006
【図５】
2005120623.tif 000007
【図６】
2005120623.tif 000008